(57)【要約】【課題】  ハウジング内部に収容された板状部品を当該ハウジングとこのハウジングに嵌合するカバーとで挟み込んでしっかりと保持する構造を提供する。【解決手段】  板状部品５１と、一部に開口部を有し、板状部品の一面と少なくとも一部が当接した状態で当該板状部品を内部に収容可能なハウジング３０と、ハウジングの開口部にラッチ係合可能で当該ハウジングとの嵌合状態で板状部品の他面に押圧される複数の板状部品保持用の押さえ凸部４７を備えたカバー４０とを有し、カバーのハウジングへの嵌合状態において板状部品を当該ハウジングとカバーの押さえ凸部とで挟み込んでハウジング内に固定するようになっており、かつカバーをハウジングに嵌合する際に複数の押さえ凸部が板状部品をそれぞれ一度に均等に押圧可能とするカバー嵌合ガイド部４６を備えている。【選択図】    図２
2005166774.tif 000002
【特許請求の範囲】
【請求項１】
板状部品と、
一部に開口部を有し、前記板状部品の一面と少なくとも一部が当接した状態で当該板状部品を内部に収容可能なハウジングと、
前記ハウジングの開口部にラッチ係合可能で当該ハウジングとの嵌合状態で前記板状部品の他面に押圧される複数の板状部品保持用の押さえ凸部を備えたカバーとを有し、
前記カバーの前記ハウジングへの嵌合状態において前記板状部品を当該ハウジングとカバーの押さえ凸部とで挟み込んで前記ハウジング内に固定するようになったカバー付きハウジングへの板状部品収容構造において、
前記カバーをハウジングに嵌合する際に当該カバーをハウジング開口部の開口面と平行なまま嵌合させるカバー嵌合ガイド部を当該カバーに備えたことを特徴とするカバー付きハウジングへの板状部品収容構造。
【請求項２】
前記カバー嵌合ガイド部は、前記カバーのハウジングへの嵌合前に当該カバーをハウジング開口部の開口面に対して平行に仮置き可能な位置決めリブからなることを特徴とする、請求項１に記載のカバー付きハウジングへの板状部品収容構造。
【請求項３】
前記カバーはハウジングにラッチ係合可能な複数の係合爪部を有し、前記カバー嵌合ガイド部は前記係合爪部の先端から突出して一体に形成されていることを特徴とする、請求項１に記載のカバー付きハウジングへの板状部品収容構造。
【請求項４】
前記カバーの押さえ凸部は所定の押圧力に応じて塑性変形可能で、前記カバーを前記ハウジングに嵌合させた状態で各押さえ凸部が均等に塑性変形していることを特徴とする、請求項１に記載のカバー付きハウジングへの板状部品収容構造。
【請求項５】
前記カバーに押さえ凸部が備わる代わりに前記板状部品に押さえ凸部が備わり、前記カバーを前記ハウジングに嵌合させた状態で各押さえ凸部が均等に塑性変形していることを特徴とする、請求項４に記載のカバー付きハウジングへの板状部品収容構造。
【請求項６】
前記ハウジングはコネクタハウジングからなり、
前記板状部品は回路基板からなり、かつ当該板状部品には当該コネクタハウジングに嵌合する相手側コネクタハウジングに収容された端子と嵌合可能な複数の端子が備わっていることを特徴とする、請求項１乃至請求項５のいずれかに記載のカバー付きハウジングへの板状部品収容構造。
【発明の詳細な説明】
【技術分野】
【０００１】
本発明は、回路基板等の板状部品をハウジング内に固定して収容するのに適したカバー付きハウジングへの板状部品収容構造に関する。
【背景技術】
【０００２】
従来から回路基板等の板状部品をハウジング内に固定して収容する構造は知られている。このような構造の一例として、ハウジング内に収容するプリント基板のがたつきや異音を抑えるため、断面三角形状の突起を設置し、基板を挟み付けて固定したものがある（例えば、特許文献１参照。）。
【０００３】
この構造は、図５に示すようにロアケース１１０の台座１１１の上面に、頂角が鋭角をなす二等辺三角形断面の突起１１２を形成し、組み付けに際しては、図５（ａ）に示すように、プリント基板１３０の周縁を突起１１２の形成されたロアケース１１０の台座１１１上に載せる。次いで、アッパーケース１２０をロアケース１１０の上面に被せる。これによって、挟圧部１２２がプリント基板１３０を押さえ、さらにプリント基板１３０が突起１１２の先端を潰しつつ台座１１１側に押し付けられる。そして、図５（ｂ）に示すように、係止鈎部１１３が弾性変形を介して係止孔１１４に嵌まり、上下のケース１１０，１２０が互いに嵌合されると、プリント基板１３０の周縁がアッパーケース１２０の挟圧部１２２と、ロアケース１１０の台座１１１上の潰された突起１１２との間で挟まれて、ケース１１０，１２０内に収納される。
【０００４】
また、この従来技術に関連した構造のもので、ハウジング内に回路基板を収容すると共に回路基板の一部にカバーの押さえ凸部を押し付けてこの押さえ凸部を潰しながら回路基板をハウジングとカバーとの間で挟んで固定する構造のものも存在する（図６乃至図８参照）。
【０００５】
【特許文献１】特開平８−１４５０１９号（３−４頁、図３）
【発明の開示】
【発明が解決しようとする課題】
【０００６】
特許文献１に記載の従来技術の構造には、アッパーケース１２０をロアケース１１０に嵌合させるにあたって特別な案内リブ等が設けられていない。また、関連技術として説明した構造は、図６に示すように、カバー２２０をハウジング２１０に嵌合させる際、片側ずつラッチ係合する係止爪２２１，２２２を有しているに過ぎない。そのため、これらの構造では、カバー２２０をハウジング２１０に嵌合させるに際して、図６及び図７に示すように、組み付けのし易さから通常はカバー２２０をハウジング２１０の嵌合面に対して傾けて何れか一方のカバー側縁部からハウジング２１０に嵌合させている。従って、先に嵌合させた一方のカバー側縁部（図７及び図８の左側縁部）はハウジングの係止爪２１１にゆっくり嵌合するので、その側縁側に設けた押さえ凸部２２３は余り潰れることなく回路基板２３０の一部に当接するが、後に嵌合させる他方のカバー側縁部（図７及び図８の右側縁部）はハウジングの係止爪２１１に勢い良くラッチ係合するようになるので、カバー２２０の押さえ凸部２２４も回路基板２３０に勢い良く当り、最初に回路基板２３０に当接した押さえ凸部２２３に較べてかなり潰れる。
【０００７】
このように、カバー２２０の後から嵌める側の方が勢いよく嵌合するため、先に嵌める側の押さえ凸部より、後に嵌める側の押さえ凸部がたくさん潰れる傾向があると、回路基板２３０を押さえている押さえ凸部２２３，２２４の潰れ量が一方のカバー縁部の押さえ凸部２２３と他方のカバー縁部の押さえ凸部２２４とで異なってしまう。これによって、回路基板２３０がハウジング内で正規の位置から微妙に傾いてしまうおそれがある。これに加えて、例えば、図６乃至図８に示すように、回路基板２３０に複数の端子２３１が垂設している場合には、回路基板２３０がハウジング内で傾くことで、これらの端子２３１が斜めになり、端子先端の位置がすれて相手側端子（図示せず）とうまく嵌合しなくなるおそれもある。
【０００８】
本発明の目的は、ハウジング内部に収容された板状部品を当該ハウジングとこのハウジングに嵌合するカバーとで挟み込んでしっかりと保持する構造を提供することにある。
【課題を解決するための手段】
【０００９】
上述した課題を解決するために、本発明にかかるカバー付きハウジングへの板状部品収容構造は、板状部品と、一部に開口部を有し、板状部品の一面と少なくとも一部が当接した状態で当該板状部品を内部に収容可能なハウジングと、ハウジングの開口部にラッチ係合可能で当該ハウジングとの嵌合状態で板状部品の他面に押圧される複数の板状部品保持用の押さえ凸部を備えたカバーとを有し、カバーのハウジングへの嵌合状態において板状部品を当該ハウジングとカバーの押さえ凸部とで挟み込んでハウジング内に固定するようになったカバー付きハウジングへの板状部品収容構造において、カバーをハウジングに嵌合する際に当該カバーをハウジング開口部の開口面と平行のまま嵌合させるカバー嵌合ガイド部を当該カバーに備えたことを特徴としている。
【００１０】
このようなカバー嵌合ガイド部を備えることで、板状部品をカバーとハウジングとで均等に挟み込むことができ、板状部品をハウジング内にしっかりと保持する。
【００１１】
また、本発明の請求項２に記載のカバー付きハウジングへの板状部品収容構造は、請求項１に記載のカバー付きハウジングへの板状部品収容構造において、カバー嵌合ガイド部は、カバーのハウジングへの嵌合前に当該カバーをハウジング開口部の開口面に対して平行に仮置き可能な位置決めリブからなることを特徴としている。
【００１２】
カバー嵌合ガイド部がこのような位置決めリブからなるので、カバーをハウジングに仮置きした状態からハウジングにカバーを嵌合させるだけで、板状部品をカバーとハウジングとで均等に挟み込むことができ、板状部品をハウジング内にしっかりと保持する。
【００１３】
また、本発明の請求項３に記載のカバー付きハウジングへの板状部品収容構造は、請求項１に記載のカバー付きハウジングへの板状部品収容構造において、カバーはハウジングにラッチ係合可能な複数の係合爪部を有し、カバー嵌合ガイド部は係合爪部の先端から突出して一体に形成されていることを特徴としている。
【００１４】
係合爪部とカバー嵌合ガイド部が一体に形成されているので、簡単な構造で板状部品をハウジング内にしっかりと保持できる。
【００１５】
また、本発明の請求項４に記載のカバー付きハウジングへの板状部品収容構造は、請求項１に記載のカバー付きハウジングへの板状部品収容構造において、カバーの押さえ凸部は所定の押圧力に応じて塑性変形可能で、カバーをハウジングに嵌合させた状態で各押さえ凸部が均等に塑性変形していることを特徴としている。
【００１６】
板状部品を押さえている押さえ凸部の潰れ量が均等になることで、板状部品がハウジング内で微妙に傾くことがなくなる。
【００１７】
また、本発明の請求項５に記載のカバー付きハウジングへの板状部品収容構造は、請求項４に記載のカバー付きハウジングへの板状部品収容構造において、カバーに押さえ凸部が備わる代わりに板状部品に押さえ凸部が備わり、カバーをハウジングに嵌合させた状態で各押さえ凸部が均等に塑性変形していることを特徴としている。
【００１８】
カバーに押さえ凸部を形成する代わりに板状部品に押さえ凸部を形成しても、上述のような簡単な構造で板状部品をハウジング内にしっかりと保持できる。
【００１９】
また、本発明の請求項６に記載のカバー付きハウジングへの板状部品収容構造は、請求項１乃至請求項５の何れかに記載のカバー付きハウジングへの板状部品収容構造において、ハウジングはコネクタハウジングからなり、板状部品は回路基板からなり、かつ当該板状部品には当該コネクタハウジングに嵌合する相手側コネクタハウジングに収容された端子と嵌合可能な複数の端子が備わっていることを特徴としている。
【００２０】
カバーに備わった押さえ凸部が均等に潰れるので、回路基板がコネクタハウジング内で微妙に傾くようなことはない。その結果、回路基板に備わった端子が正規の姿勢から傾くことなく、端子先端の位置ずれをなくすことができ、端子同士の確実な嵌合を可能にする。
【発明の効果】
【００２１】
本発明は、ハウジング開口部の開口面に対してカバーを平行に嵌合可能なカバー嵌合ガイド部をカバーに形成したので、カバーに形成された板状部品押さえ用の押さえ凸部の潰れ量が均等になり、板状部品がハウジング内で傾くことがなくなる。その結果、板状部品が回路基板からなり、これに端子が備わった場合、端子先端の位置がずれることもない。これにより、ハウジングがコネクタハウジングの場合、外部接続コネクタとの良好な嵌合を行うことができ、端子挿入力も小さくなる。
【発明を実施するための最良の形態】
【００２２】
以下、本発明の一実施形態にかかるカバー付きハウジングの板状部品収容構造について説明する。なお、本実施形態においては、この構造をジョイントコネクタに適用した例について説明する。かかる構造を適用した本発明の一実施形態にかかるジョイントコネクタ１は、図１の分解斜視図に示すように、図示しないメス端子を多数保持するメスコネクタ２と、メスコネクタ２を収容可能なハウジング３０を備えると共にメスコネクタ２のメス端子と接続するオス端子Ｍを多数備えたオス端子アッシー５０を有し、かつハウジング３０のメスコネクタ挿入側と反対側に被着されるカバー４０を備えたオスコネクタ３とから構成されている。
【００２３】
メスコネクタ２は、矩形厚板状のメス端子ホルダ（一段並列形状コネクタハウジング）とメス端子ホルダに並列配置されたメス端子とからなるメスコネクタエレメント２０を上下方向に積層配置した構造をとっている。メスコネクタエレメント２０はここでは図示しないサブハーネスの１つずつに対応するようになっており、各々のメスコネクタエレメント２０には別々のサブハーネスが取り付けられている。なお、メスコネクタエレメント２０のメス端子ホルダは、例えばＰＢＴ（ポリブチレンテレフタレート）、ＰＰ（ポリプロピレン）等の樹脂材でできており、その上面においてホルダ全幅方向に亘ってメス端子収容溝部が所定間隔で複数形成されている。また、各メス端子収容溝部とメス端子ホルダの一側面とはオス端子挿通孔（図示せず）によって連通している。
【００２４】
また、メスコネクタエレメント２０は、ここでは詳細には示さないが当該メスコネクタエレメント２０を複数段（図示例は１０段）に積層して合体するエレメントロック手段をそれぞれ備えている。なお、エレメントロック手段も例えばＰＢＴ（ポリブチレンテレフタレート）、ＰＰ（ポリプロピレン）等の樹脂材でできており、プラスチック成形加工により形成されている。
【００２５】
一方、同図に示すオスコネクタ３は、四角筒型のハウジング３０と、ハウジング３０に挿入可能なオス端子アッシー５０と、ハウジング３０に被着されるカバー４０を備えている。なお、ハウジング３０は例えばＰＢＴ（ポリブチレンテレフタレート）、ＰＰ（ポリプロピレン）等の樹脂材でできている。また、カバー４０は矩形板形状を有し、ハウジング３０のオス端子アッシー５０が装着される側に取り付けられ、オス端子アッシー５０をハウジング内に保持するとともにこれを保護する役目を果たしている。なお、カバー４０も例えばＰＰ（ポリプロピレン）、ＰＢＴ（ポリブチレンテレフタレート）等の樹脂材でできており、プラスチック成形加工により形成されている。
【００２６】
ハウジング３０は四角筒形状を有し、内部に後付する底壁部３１を備えている。また、ハウジング３０の内壁側面には、メスコネクタ２を挿入したとき、これと係合してメスコネクタ２をハウジング内部に収容する複数の係合溝部３０ａが並列して形成されている。なお、ハウジング３０はオス端子アッシー５０を保持するだけでなく、オス端子Ｍとメス端子（図示せず）とが係合し易いようにメスコネクタ２をオスコネクタ１に対して適所に案内する役割も果たしている。なお、ハウジング３０とカバー４０の詳細な構造は後述する。
【００２７】
オス端子アッシー５０は、回路基板５１と、回路基板５１の一面にマトリックス状に垂設された多数のオス端子Ｍとからなる。個々のオス端子Ｍはその端部が回路基板５１にマトリックス上に穿設された端子挿入孔（図示せず）に圧入され、かつ回路基板５１にハンダ接合されている。なお、オス端子Ｍは一般的な打ち込みにより回路基板５１に圧入固定され、その後、回路基板５１に形成された図示しない銅箔回路パターンとはんだ接合される。
【００２８】
続いて、ハウジング３０への回路基板５１の収容構造について説明する。上述したハウジング３０は、図２に示すように、四角筒型形状を有し、この内部に回路基板５１の一面と当接する底壁部３１を備えている。なお、底壁部３１はハウジング内部をメスコネクタ収容部３２と回路基板収容部３３とに仕切る仕切り板としての役目も果たしている。また、底壁部３１には回路基板５１に備わった多数のオス端子Ｍが貫通してこれをハウジング３０のメスコネクタ収容部側に突出させる貫通孔（図示せず）が多数形成されている。
【００２９】
一方、ハウジング３０の回路基板収容側の側壁部３４には一組の対向する壁部内壁（図２中左右の壁部内壁）の上縁にカバー４０とラッチ係合する係合爪部３５がそれぞれ２つずつ合計４つ備わっている（図２では手前側の係合爪部のみ図示）。
【００３０】
一方、カバー４０は矩形板形状を有し、カバー４０の一組の平行する側縁部でハウジング３０の回路基板収容開口部３３ａに当接する縁部には、ハウジング３０の係合爪部３５と弾性変形によってラッチ係合する係合爪部４５がそれぞれ２つずつ合計４つ形成されている。また、各係合爪部４５の先端には当該カバー４０をハウジング３０に嵌合する前にカバー４０を当該ハウジング３０の回路基板収容開口部３３ａの開口面に対して平行に位置決め可能なカバー仮置き用の位置決めリブ（カバー嵌合ガイド部）４６が形成されている。
【００３１】
すなわち、図２において上方から被せるカバー４０の係合爪部先端には位置決めリブ４６が延長して突出されており、位置決めリブ４６によってカバー４０をハウジング３０の開口部に仮固定可能としている。そして、後述するようにカバー４０をハウジング３０の回路基板収容開口部３３ａの開口面と平行に仮固定した後にカバー全体を平行に押圧することで、カバー４０が回路基板収容開口部３３ａの開口面と平行を保ったままカバー４０がハウジング３０に嵌合するようになっている。
【００３２】
このように、位置決めリブ４６が係合爪部４５の先端から突出して一体に形成されていることで、係合爪部４５と位置決めリブ４６を複雑な構成をとることなく形成することができる。
【００３３】
一方、カバー内側の四隅には、図１乃至図４に示すように、回路基板５１の四隅に当接して回路基板１５をハウジング３０の底壁部３１に押し付ける押さえ凸部４７が合計４つ形成されている。そして、カバー４０をハウジング３０に嵌合させた状態において回路基板５１をハウジング３０とカバー４０の押さえ凸部４７とで挟み込んで回路基板５１をハウジング内に固定するようになっている。
【００３４】
また、カバー４０の押さえ凸部４７は所定の押圧力に応じて塑性変形するようになっている。そして、カバー４０をハウジング３０に嵌合させた状態では、図４に示すように、後述する位置決めリブ４６の作用によって各押さえ凸部４７が均等に塑性変形している。なお、押さえ凸部４７の潰れ量が異なると、回路基板５１がコネクタハウジング内で微妙に傾き、その結果、回路基板５１に接続されているオス端子Ｍが斜めになり、端子先端の位置がずれるが、押さえ凸部４７の潰れ量が均等であることでこのようなことが生じることなく端子同士の確実な嵌合を可能にしている。
【００３５】
続いて、カバー４０をハウジング３０に嵌合する嵌合手順の一例について説明する。まず、ハウジング３０を図２に示すようにその回路基板収容用開口部が例えば上方を向くように位置決めする。そして、回路基板５１のオス端子Ｍをハウジング３０の底壁部３１に形成されたオス端子貫通孔に挿通して回路基板５１をハウジング３０の底壁部３１に当接する。そして、この状態で図３に示すようにカバー４０の位置決めリブ４６をハウジング３０の回路基板収容開口部３３ａの開口縁内側に位置決めする。これによって、カバー４０はハウジング３０の回路基板収容開口部３３ａ上にその開口面と平行に仮置きされる。そして、この状態で例えば簡単な押圧治具を介してカバー４０をハウジング３０に押し付ける。これによって、カバー４０はハウジング３０の開口面に対して平行なまま（開口面に対して傾くことなく）押し込まれ、やがてはカバー４０の係合爪部４５とハウジング３０の係合爪部３５とがラッチ係合してカバー４０がハウジング３０に嵌合する。すなわち、このようにハウジング３０にカバー４０を平行に仮置きするための位置決めリブ４６を設けることで、カバー４０をハウジング３０に嵌合する際、係合爪部３５，４５を両側同時にラッチ係合させることを可能としている。
【００３６】
かかる嵌合動作から明らかなように、本実施形態にかかるジョイントコネクタ１の場合、双方のカバー側縁部（図２の左右縁部）が図３に示すように同時に嵌合するので、各側縁側に設けた押さえ凸部４７が均等に潰れる。すなわち、従来のようにカバー４０をハウジング３０の嵌合面に対して傾けて何れか一方のカバー側縁部からハウジング３０に嵌合させなくて済む。これによって、上述した関連技術のように後から嵌める側の係合爪部が勢いよく嵌合するために先に嵌める側の押さえ凸部より後に嵌める側の押さえ凸部の方が余分に潰れることがない。
【００３７】
このように、各押さえ凸部４７の潰れ量が均等になることで、回路基板５１がハウジング内で微妙に傾くのを防ぐことができる。その結果、回路基板５１に接続されているオス端子Ｍが斜めになることもない。
【００３８】
次いで、このようにして組み立てたオスコネクタ３にメスコネクタ２を嵌合する。このコネクタ嵌合にあたっては、ハウジング３０のメスコネクタ収容部３２の開口部にメスコネクタ２を挿入する。この挿入作業にあたって、上述したようにオスコネクタ３のオス端子先端の位置ずれが生じなくなっているので、端子同士の確実な嵌合を可能にし、コネクタ嵌合を円滑に行うことができ、ジョイントコネクタ１を効率的に組み付けることを可能としている。
【００３９】
以上説明したように、本実施形態はこのような位置決めリブ４６のようなカバー嵌合ガイド部を備えるので、カバー４０をハウジング３０に仮置きした状態からハウジング３０にカバー４０を嵌合させるだけで、回路基板５１をカバー４０とハウジング３０とで均等に挟み込むことができ、ハウジング内にしっかりと保持することを可能としている。
【００４０】
なお、上述の実施形態とは異なり、カバー４０に押さえ凸部４７が備わる代わりに回路基板５１に押さえ凸部が備わり、カバー４０をハウジング３０に嵌合させた状態で各押さえ凸部４７が均等に塑性変形するような構造であっても良い。このようにカバー４０に押さえ凸部４７を形成する代わりに回路基板５１に押さえ凸部を形成することでも、上述した作用を発揮することが可能である。
【００４１】
また、係合爪部や押さえ凸部の個数は上述の実施形態には限定されない。また、案内リブは係合爪部の先端に一体に形成される必要はなく、係合爪部近傍のカバーの一部に形成されていても良い。
【産業上の利用可能性】
【００４２】
本発明にかかるカバー付きハウジングへの板状部品収容構造の適用範囲は上述したコネクタには限定されず、例えば電気接続箱などの回路基板（板状部品）をカバー付きハウジングに収容するものにも好適に利用可能である。
【図面の簡単な説明】
【００４３】
【図１】本発明の一実施形態にかかるカバー付きハウジングへの板状部品収容構造を適用したジョイントコネクタの分解斜視図である。
【図２】図１に示したジョイントコネクタのハウジングに回路基板を取り付け、カバーをハウジングに近づけた状態を示した断面図である。
【図３】図２に続き、ジョイントコネクタのハウジングにカバーを仮置きした状態を示した断面図である。
【図４】図３に続き、ジョイントコネクタのハウジングにカバーを嵌合した状態を示した断面図である。
【図５】従来技術のカバー付きハウジングへの板状部品収容構造を部分的に示した断面図である。
【図６】関連技術のジョイントコネクタのハウジングに回路基板を取り付け、カバーをハウジングに近づけた状態を示した断面図である。
【図７】図６に続き、ジョイントコネクタのハウジングにカバーの一側縁部を係合させた状態を示した断面図である。
【図８】図７に続き、ジョイントコネクタのハウジングにカバーの他側縁部を係合させた状態を示した断面図である。
【符号の説明】
【００４４】
１    ジョイントコネクタ
２    メスコネクタ
３    オスコネクタ
２０    メスコネクタエレメント
３０    ハウジング
３０ａ    係合溝部
３１    底壁部
３２    メスコネクタ収容部
３３    回路基板収容部
３３ａ    回路基板収容開口部
３４    側壁部
３５    係合爪部
４０    カバー
４５    係合爪部
４６    位置決めリブ（カバー嵌合ガイド部）
４７    押さえ凸部
５０    オス端子アッシー
５１    回路基板
１１０    ロアケース
１１１    台座
１１２    突起
１１３    係止鈎部
１１４    係止孔
１２０    アッパーケース
１２２    挟圧部
１３０    プリント基板
２１０    ハウジング
２１１    係止爪
２２０    カバー
２２１    係止爪
２２３，２２４    押さえ凸部
２３０    回路基板
２３１    端子
Ｍ    オス端子
【図１】
2005166774.tif 000003
【図２】
2005166774.tif 000004
【図３】
2005166774.tif 000005
【図４】
2005166774.tif 000006
【図５】
2005166774.tif 000007
【図６】
2005166774.tif 000008
【図７】
2005166774.tif 000009
【図８】
2005166774.tif 000010